(57)【要約】      （修正有）【課題】デザイン性、オリジナル性に優れると共に、耐久性に優れるビジュアル中敷き及び中敷き積層体を提供する。【解決手段】靴の中底に装着して使用する中敷きであって、足裏の立体形状に対応した板状部材で構成され、該板状部材は、樹脂部材で構成される芯材層と、該芯材層に積層される装飾画像Ｓを備えた画像形成層とを少なくとも備えるビジュアル中敷き２０である。またビジュアル中敷き２０と、靴底の形状に合わせたシート状部材で構成されるベース中敷き１０とから構成される中敷き積層体１であって、ベース中敷き１０の底面１０ｂにビジュアル中敷き２０を取り付けてある。【選択図】図１
0003187178.tif 000002
【実用新案登録請求の範囲】
【請求項１】
靴の中底に装着して使用する中敷きであって、少なくとも靴底側の表面に装飾画像等の画像を備えることを特徴とするビジュアル中敷き。
【請求項２】
中敷きは、足裏の立体形状に対応した板状部材で構成され、該板状部材は、樹脂部材で構成される芯材層と、該芯材層に積層される画像形成層とを少なくとも備えることを特徴とする請求項１に記載のビジュアル中敷き。
【請求項３】
板状部材の最表面に表面保護層を備えることを特徴とする請求項２に記載のビジュアル中敷き。
【請求項４】
請求項１〜請求項３の何れか１項に記載のビジュアル中敷きと、靴底の形状に合わせたシート状部材からなるベース中敷きとから構成される中敷き積層体であって、該ベース中敷きの靴底側の表面に前記ビジュアル中敷きを取り付けてあることを特徴とする中敷き積層体。
【考案の詳細な説明】
【技術分野】
【０００１】
本考案はデザイン性、オリジナル性に優れると共に、耐久性に優れるビジュアル中敷き及び該ビジュアル中敷きを備える中敷き積層体に関する。
【背景技術】
【０００２】
従来、靴の内部を構成する中底には、クッション性、保温性、消臭性等の各種機能を備えた中敷きが装着されている。また近年、姿勢の矯正やあらゆる方向に対する衝撃を吸収・緩和することができる中敷きとして、靴底の形状に合わせたベース中敷きの底面に、足裏の立体形状に対応した形状の機能性中敷きを装着する中敷き（中敷き積層体）が提供されている。このような従来の中敷きを示すものとして、下記特許文献１、２がある。
【先行技術文献】
【特許文献】
【０００３】
【特許文献１】特開２０１１−２４５２４４号公報
【特許文献２】特開２０１２−３４７５４号公報
【考案の概要】
【考案が解決しようとする課題】
【０００４】
上記特許文献１は、保温性履物用中敷きに関する発明で、適度のクッション性及び通気性に優れるうえに、湿気に伴う冷えを防止できるメリットがある。また上記特許文献２は、靴中敷きに関する発明で、サポート力があり且つ足の痛みを発生し難くするメリットがある。
【０００５】
しかし、このような従来の中敷きは、靴の中というあまり目立たない場所に装着されるため、機能性に主体をおくものが一般的であり、その表面も靴の中の色と同色の単色で構成されるものがほとんどで、デザイン性に乏しいという問題があった。このような問題に対して、近年、表面にデザインを施した中敷きが開発されている。しかし、あくまで足裏と接する側の表面（靴内に配置した際に視認できる側の表面）にデザインを施すものが一般的であり、靴底側の表面にデザインを施すものがなく、中敷きを製品として販売する場合等においては、依然としてデザイン性、オリジナル性に乏しく、他の製品との差別化を図ることが難しいという問題があった。
【０００６】
そこで本考案は上記従来技術の問題を解消し、デザイン性、オリジナル性に優れると共に、耐久性に優れるビジュアル中敷き及び該ビジュアル中敷きを備える中敷き積層体の提供を課題とする。
【課題を解決するための手段】
【０００７】
本考案のビジュアル中敷きは、靴の中底に装着して使用する中敷きであって、少なくとも靴底側の表面に装飾画像等の画像を備えることを第１の特徴としている。
【０００８】
また本考案のビジュアル中敷きは、上記第１の特徴に加えて、中敷きは、足裏の立体形状に対応した板状部材で構成され、該板状部材は、樹脂部材で構成される芯材層と、該芯材層に積層される画像形成層とを少なくとも備えることを第２の特徴としている。
【０００９】
また本考案のビジュアル中敷きは、上記第２の特徴に加えて、板状部材の最表面に表面保護層を備えることを第３の特徴としている。
【００１０】
また本考案の中敷き積層体は、請求項１〜請求項３の何れか１項に記載のビジュアル中敷きと、靴底の形状に合わせたシート状部材からなるベース中敷きとから構成される中敷き積層体であって、該ベース中敷きの靴底側の表面に前記ビジュアル中敷きを取り付けてあることを第４の特徴としている。
【考案の効果】
【００１１】
請求項１に記載のビジュアル中敷きによれば、靴底側の表面に装飾画像等の画像を備えることで、デザイン性、オリジナル性に優れる中敷きとすることができる。よって、中敷きを製品として販売する場合等においては、効果的に他の製品との差別化を図ることができる。
【００１２】
また請求項２に記載のビジュアル中敷きによれば、上記請求項１に記載の構成による作用効果に加えて、足裏の立体形状に対応した形状の板状部材に画像形成層を備える構成とすることで、立体感のある画像を表示することができる。よって、一段とデザイン性、オリジナル性に優れる中敷きとすることができる。
【００１３】
また請求項３に記載の中敷きによれば、上記請求項２に記載の構成による作用効果に加えて、板状部材の最表面に表面保護層を備える構成とすることで、耐久性に優れた中敷きとすることができる。
【００１４】
また請求項４に記載の中敷き積層体によれば、請求項１〜請求項３の何れか１項に記載のビジュアル中敷きと、靴底の形状に合わせたシート状部材からなるベース中敷きとから構成される中敷き積層体であって、該ベース中敷きの靴底側の表面に前記ビジュアル中敷きを取り付けてあることで、デザイン性、オリジナル性に優れると共に、靴の中での位置決めが容易な中敷きとすることができる。
【図面の簡単な説明】
【００１５】
【図１】本考案の実施形態に係る中敷き積層体を示す図で、（ａ）は斜視図、（ｂ）は右側面図、（ｃ）は底面図である。
【図２】本考案の実施形態に係る中敷き積層体を示す図で、（ａ）は分解図、（ｂ）はビジュアル中敷きの正面図、（ｃ）はビジュアル中敷きの右側面図である。
【図３】図１（ｃ）のＡ−Ａ線方向における断面図である。
【図４】本考案の実施形態に係る中敷き積層体の変形例を示す図で、（ａ）は変形例１の底面図、（ｂ）は変形例２の底面図である。
【図５】従来の中敷き積層体を示す図で、（ａ）は斜視図、（ｂ）は図１（ｃ）のＡ−Ａ線方向と同じ方向の断面図を示す図である。
【考案を実施するための形態】
【００１６】
以下の図面を参照して、本考案の実施形態に係るビジュアル中敷き及び該ビジュアル中敷きを備える中敷き積層体を説明し、本考案の理解に供する。しかし、以下の説明は本考案の実用新案登録請求の範囲に記載の考案を限定するものではない。
【００１７】
先ず図１〜図３を参照して、本考案の実施形態に係るビジュアル中敷き２０及びビジュアル中敷き２０を備える中敷き積層体１を説明する。
【００１８】
本考案の実施形態に係る中敷き積層体１は、靴の中底に装着して使用する、いわゆる中敷きである。この中敷き積層体１は、図１〜図３に示すように、ベース中敷き１０と、ベース中敷き１０の底面１０ｂに接着剤３０を介して取り付けられるビジュアル中敷き２０とで構成される。なお、ここで「底面１０ｂ」とは、図１に示すベース中敷き１０において、足裏と接する側の面である天井面１０ａと反対側の面を意味するものである。
【００１９】
前記ベース中敷き１０は、中敷き積層体１の外形を構成する中敷きで、靴底の形状に合わせた平板状のシート状部材で形成されている。なお、シート状部材の材質としては、靴の中敷きとして通常使用されるものを用いることができる。例えばクッション性や通気性に優れた、各種のスポンジシートを用いることができる。またその大きさ、厚み等は使用される靴や使用する人の足の大きさ、体重等によって適宜変更可能である。
【００２０】
前記ビジュアル中敷き２０は、表面に画像を備える中敷きである。なお、ここで「画像」とは、デジタルカメラ等の写真機（いわゆるカメラ）で撮影された写真画像と、写真画像以外のいわゆる装飾画像（例えばイラスト、飾り枠、文字、数字、記号等）との両方を含む概念である。また本実施形態においては、このビジュアル中敷き２０は足裏の立体形状に対応した板状部材で構成され、靴を履いた際に足裏を適切な位置に配置させることができる、いわゆる機能性中敷きとしての役割も備えている。なお本実施形態においては、図１、図３に示すように、ビジュアル中敷き２０はベース中敷き１０の底面１０ｂに取り付けられると共に、芯材層２１と、画像形成層２２と、表面保護層２３とで構成される。
【００２１】
前記芯材層２１は、ビジュアル中敷き２０の骨格をなすものである。本実施形態においては、図２（ｂ）、図２（ｃ）に示すように、足裏の立体形状に対応した形状の樹脂部材で芯材層２１が形成されている。より具体的には、土踏まずに対応する部分に膨出部を備える樹脂部材で芯材層２１が形成されている。なお、この芯材層２１は、例えば金型を用いて樹脂を射出成形することで形成することができる。また芯材層２１を形成する樹脂としては、柔軟性を備える各種樹脂を用いることができる。例えばナイロン、サーモプラスチックラバー等を用いることができる。また芯材層２１の厚みは、靴の用途や靴のサイズによって適宜変更可能である。
【００２２】
前記画像形成層２２は、樹脂部材で構成される芯材層２１の表面に形成されて、ビジュアル中敷き２０の表面に画像を表示させるためのものである。本実施形態においては、ビジュアル中敷き２０の靴底側の表面（底面２０ｂ）に画像を表示させるためのものである。なお、ここで「底面２０ｂ」とは、図２（ｂ）、図２（ｃ）に示すビジュアル中敷き２０において、ベース中敷き１０と接する側の面である天井面２０ａと反対側の面を意味するものである。
【００２３】
なお、本実施形態においては図３に示すように、芯材層２１において、ビジュアル中敷き２０の底面２０ｂ側の表面に画像形成層２２を設ける構成としてある。また図１、図２に示すように、星の形状で構成される装飾画像Ｓを画像形成層２２に複数設ける構成としてある。勿論、画像形成層２２に形成する画像は本実施形態のものに限るものではなく、適宜変更可能である。また画像の大きさ、配置、色もデザインによって適宜選択すればよい。
【００２４】
なお、画像形成層２２の形成方法としては、デザインの大きさや複雑性、芯材層２１を形成する樹脂部材の曲率や想定変形率等を考慮して、水圧転写、昇華転写、塗装、カッティングシートの貼り付け等の各種形成方法を適宜選択することができる。また画像形成層２２の厚みは、その形成方法等によって適宜変更可能である。
【００２５】
前記表面保護層２３は、ビジュアル中敷き２０の最表面を構成するもので、芯材層２１、画像形成層２２が水分や空気等と直接触れることを防止するためのものである。この表面保護層２３は、各種コーティング剤、コーティング方法を用いて透過性若しくは半透過性のある層として形成することができる。例えば芯材層２１、画像形成層２２の表面をウレタンでコーティングすることで表面保護層２３を形成することができる。なお、表面保護層２３の厚みは、コーティング剤の種類等によって適宜変更可能である。
【００２６】
また本実施形態においては、図３に示すように、ビジュアル中敷き２０の端部にテーパー部Ｔを設ける構成としてある。なおテーパー部Ｔの傾斜角度は、本実施形態のものに限るものではなく、芯材層２１、画像形成層２２、表面保護層２３の厚みによって適宜変更可能である。なお、ここで「傾斜角度」とは、図３に一点鎖線で示すテーパー部Ｔの傾斜面と水平面とで構成される角度Ｐのことを意味するものである。
【００２７】
本実施形態においては、図１、図３に示すように、このような構成からなるビジュアル中敷き２０が、ベース中敷き１０の底面１０ｂの土踏まずに対応する領域に接着剤３０を介して取り付けられている。なお、ビジュアル中敷き２０の形状や大きさ、ベース中敷き１０への取り付け位置は、本実施形態のものに限るものではなく、ビジュアル中敷き２０に発揮させたい機能等によって適宜変更可能である。
【００２８】
前記接着剤３０は、ベース中敷き１０の底面１０ｂにビジュアル中敷き２０を取り付けるためのものである。なお接着剤３０としては、芯材層２１を形成する樹脂部材の材質等に合わせて各種接着剤を用いることができる。また本実施形態においては、図１（ａ）、図１（ｂ）に示すように、ベース中敷き１０の底面１０ｂにビジュアル中敷き２０を取り付けた後においては、平板状のシート状部材で形成されるベース中敷き１０がビジュアル中敷き２０の形状に沿った形状へと変形保持される。
【００２９】
このような構成からなる本考案の実施形態に係るビジュアル中敷き２０及びビジュアル中敷き２０を備える中敷き積層体１は、以下の効果を奏する。
【００３０】
中敷き積層体１の靴底側の表面に装飾画像Ｓを備えることで、デザイン性、オリジナル性に優れる中敷きとすることができる。よって、特に中敷き積層体１を製品として販売する場合においては、効果的に他の製品との差別化を図ることができる。よって類似商品との区別を容易に行うことができる。また足裏と接触することのない靴底側の表面（底面１０ｂ）に装飾画像Ｓを備える構成とすることで、足裏との接触に伴って画像が擦り減り、見難くなることを効果的に防止することができる。よって、画像の視認性に優れた中敷きとすることができる。
【００３１】
また足裏の立体形状に対応した形状で構成されるビジュアル中敷き２０の靴底側の表面（底面２０ｂ）に装飾画像Ｓを備える構成とすることで、平面（二次元形状）ではなく、曲面（三次元形状）に装飾画像Ｓを表示することができる。よって立体感のある画像を表示することができ、一段とデザイン性、オリジナル性に優れる中敷きとすることができる。またビジュアル中敷き２０に画像を設ける構成とすることで、ベース中敷き１０に取り付けてあるビジュアル中敷き２０を、デザインの異なるビジュアル中敷き２０に付け替えるだけで、デザインの異なる中敷き積層体１を容易に実現することができる。よってデザイン変更が容易な中敷きとすることができる。
【００３２】
更に芯材層２１の表面に画像形成層２２を設ける構成とすることで、異なる画像を備える複数のビジュアル中敷き２０を製造する場合でも、芯材層２１を形成する同じ（一つの）樹脂部材を流用することができる。よって、例えば金型を用いて樹脂を射出成形することで芯材層２１を形成する構成であっても、異なる画像を備える複数のビジュアル中敷き２０を一つの金型で製造することができる。従ってＯＥＭ生産で別ブランドの中敷きを製造する場合等において、省コスト化が可能な中敷きとすることができる。
【００３３】
またビジュアル中敷き２０の最表面に表面保護層２３を備える構成とすることで、芯材層２１、画像形成層２２が水分や空気等と直接触れることを効果的に防止することができる。また芯材層２１、画像形成層２２に傷が付くことを効果的に防止することができる。よって耐久性、防汚性、防傷性に優れ、製品寿命の長期化が可能で、手入れが容易な中敷きとすることができる。また例えば芯材層２１、画像形成層２２をウレタンでコーティングして表面保護層２３を形成する構成とすれば、光沢感に優れたビジュアル中敷き２０とすることができ、高級感のある中敷きとすることができる。
【００３４】
またビジュアル中敷き２０の端部にテーパー部Ｔを備える構成とすることで、中敷き積層体１の表面にビジュアル中敷き２０を露出させる構成であっても、特に靴の中底に中敷き積層体１を取り付ける際に、靴の中底やアッパー部にビジュアル中敷き２０が接触した場合の接触面積を効果的に低減させることができる。よって、靴の中底やアッパー部にビジュアル中敷き２０がひっかかり、ビジュアル中敷き２０が剥離することを効果的に防止することができる。
【００３５】
また土踏まずに対応する部分に膨出部を備える樹脂部材で芯材層２１を形成することで、中敷き積層体１を装着した靴を履いた際に、土踏まずと地面との間に効果的に空間を形成することができる。よって姿勢の矯正やあらゆる方向に対する衝撃を吸収・緩和することが可能となり、機能性に優れた中敷きとすることができる。
【００３６】
また靴底の形状に合わせたシート状部材で構成されるベース中敷き１０の靴底側の表面１０ｂに、ビジュアル中敷き２０を取り付ける構成とすることで、デザイン性、オリジナル性に優れると共に、靴の中での位置決めが容易な中敷き積層体１（中敷き）とすることができる。またベース中敷き１０の表面にビジュアル中敷き２０を露出させて、積極的に画像を表示させる構成とすることで、ビジュアル中敷き２０を覆い隠すための別部材が必要とならない。よって中敷き積層体１の総厚みを薄くできると共に、省コスト化が可能な中敷き積層体１（中敷き）とすることができる。
【００３７】
つまり従来の中敷きは、靴の中というあまり目立たない場所に装着されるため、機能性に主体をおくものが一般的であり、その表面も靴の中の色と同色の単色で構成されるものがほとんどで、デザイン性に乏しいという問題があった。このような問題に対して、表面にデザインを施した中敷きが開発されている。しかし、あくまで足裏と接する側の表面（靴内に配置した際に視認できる側の表面）にデザインを施すものが一般的であり、靴底側の表面にデザインを施すものがなく、中敷きを製品として販売する場合等においては、依然としてデザイン性、オリジナル性に乏しく、他の製品との差別化を図ることが難しいという問題があった。
【００３８】
また近年、姿勢の矯正やあらゆる方向に対する衝撃を吸収・緩和することができる中敷きとして、図５に示すような、靴底の形状に合わせたベース中敷き１００の底面に、足裏の立体形状に対応した形状の樹脂部材で構成される機能性中敷き２００を装着する中敷き積層体２が提供されている。しかし、このような中敷き積層体２においては、機能性中敷き２００が中敷き積層体２の底面２ｂに露出しないように、ベース中敷き１００と同一形状、同一大きさのシート状部材で形成される被覆材４００を中敷き積層体２の底面２ｂ側に備えるものが一般的であった。つまり図５（ｂ）に示すように、美観上の問題から、接着剤３００を介して、ベース中敷き１００と被覆材４００とで機能性中敷き２００を覆い隠す構成をとるものが一般的であった。
【００３９】
よって、このような従来の中敷き積層体２においては、中敷き積層体（中敷き）の総厚みが増すという問題があった。また中敷きの製造工程が増えると共に、接着剤の使用量が増えることで、省コスト化を図ることができないという問題があった。
【００４０】
従って、本考案の実施形態に係るビジュアル中敷き２０及びビジュアル中敷き２０を備える中敷き積層体１の構成とすることで、デザイン性、オリジナル性に優れると共に、耐久性に優れる中敷きとすることができる。また省コスト化が可能な中敷きとすることができる。
【００４１】
次に図４を参照して、本考案の実施形態に係る中敷き積層体１の変形例１、２を説明する。
【００４２】
本変形例１、２は、既述した本考案の実施形態に係る中敷き積層体１に対して、ビジュアル中敷き２０に設ける画像を異なる画像に変化させたものである。その他の点は、既述した本考案の実施形態に係る中敷き１と同一であることから、同一部材、同一機能を果たすものには同一番号、同一アルファベットを付し、以下の詳細な説明は省略するものとする。
【００４３】
まず図４（ａ）を参照して、本変形例１はビジュアル中敷き２０に設ける画像として、動物（イルカ）で構成される装飾画像Ｓと、数字とそれを囲む枠で構成される装飾画像Ｓとを採用したものである。
【００４４】
このような構成とすることで、特にスポーツチームのロゴマークと選手の背番号とを表示した中敷きとして、野球やサッカー等のチームスポーツで使用される靴用の中敷き積層体１（中敷き）とすることができる。よってチームの統一感や選手の士気を高めたりするためのツールとして、中敷き積層体１を利用することができる。また特定のチームモデルの中敷きとして、そのチームを応援するサポーター（Ｓｕｐｐｏｒｔｅｒ：支持者）向けに販売可能な中敷き積層体１（中敷き）とすることができる。よって、チームの運営費や活動費を獲得するためのツールとして中敷きを効果的に利用することができ、中敷きの新たな利用方法を生み出すことができる。
【００４５】
次に図４（ｂ）を参照して、本変形例２はビジュアル中敷き２０に設ける画像として、両足に対応する一対の中敷きを揃えることで一つの画像が表示されるような装飾画像Ｓを採用したものである。
【００４６】
このような構成とすることで、左右の何れの靴に装着する中敷きかを容易に見分けることが可能となると共に、より大きな画像を表示することが可能となる。
【００４７】
なお本実施形態においては、芯材層２１と、画像形成層２２と、表面保護層２３との三層でビジュアル中敷き２０を形成する構成としたが、必ずしもこのような構成に限るものではなく、ビジュアル中敷き２０を構成する層数は適宜変更可能である。また他の層を加える構成としてもよい。例えば画像形成層２２を水圧転写で形成する場合においては、芯材層２１と画像形成層２２との間に水圧転写フィルムの付着性を向上させることができる下地層を設ける構成とすることができる。このような構成とすることで、画像形成層２２を一段と精度よく形成することができる。
【００４８】
また本実施形態においては、芯材層２１において、ビジュアル中敷き２０の底面２０ｂ側の表面に画像形成層２２を設ける構成としたが、必ずしもこのような構成に限るものではない。例えば芯材層２１を透過性若しくは半透過性のある樹脂部材で形成する場合においては、芯材層２１において、ビジュアル中敷き２０の天井面２０ａ側の表面に画像形成層２２を設ける構成とすることができる。つまり、ビジュアル中敷き２０をベース中敷き１０の底面１０ｂに取り付ける構成においては、靴底側の表面（底面２０ｂ）に画像を表示させることができる構成であれば、ビジュアル中敷き２０内における画像形成層２２の形成位置は適宜変更可能である。
【００４９】
また画像形成層２２に形成する画像も本実施形態のものに限るものではなく、適宜変更可能である。例えばビジュアル中敷き２０の底面２０ｂ側の全面に模様を表示するような構成としてもよい。このような構成とすることで、一段とデザイン性、オリジナル性に優れた中敷きとすることができる。
【００５０】
また本実施形態においては、ベース中敷き１０とビジュアル中敷き２０とを組み合わせた中敷き積層体１を靴の中底に装着する中敷きとする構成としたが、必ずしもこのような構成に限るものではない。例えばビジュアル中敷き２０単体を靴の中底に装着する中敷きとする構成としてもよい。このような構成とすることで、一段と中敷きの総厚みを薄くできると共に、小型化、省コスト化が可能な中敷きとすることができる。なお、このような構成においては、底面２０ｂ側に加えて、天井面２０ａ側にも画像を設ける構成としてもよい。このような構成とすることで、一段とデザイン性、オリジナル性に優れるビジュアル中敷き２０（中敷き）とすることができる。
【００５１】
なお、本考案の実施形態に係る中敷き積層体１、ビジュアル中敷き２０は、紳士用靴、婦人用靴、スポーツシューズ等、如何なる用途の靴にも利用可能なものであり、特定の靴に限定利用されるものではない。
【産業上の利用可能性】
【００５２】
本考案の中敷きは、靴の分野において有用であり、産業上の利用可能性が大きい。
【符号の説明】
【００５３】
１        中敷き積層体
２        中敷き
２ａ      天井面
２ｂ      底面
１０      ベース中敷き
１０ａ    天井面
１０ｂ    底面
２０      ビジュアル中敷き
２０ａ    天井面
２０ｂ    底面
２１      芯材層
２２      画像形成層
２３      表面保護層
３０      接着剤
１００    ベース中敷き
２００    機能性中敷き
２１０    芯材層
３００    接着剤
４００    被覆材
Ｐ        角度
Ｓ        装飾画像
【図１】
0003187178.tif 000003
【図２】
0003187178.tif 000004
【図３】
0003187178.tif 000005
【図４】
0003187178.tif 000006
【図５】
0003187178.tif 000007